(57)【要約】【課題】内蔵クロックで低速モード動作可能な画像形成装置を提供する。【解決手段】  低速モード用の低速モード処理部８１は、周期の誤差が大きい内蔵クロックにより、省電力の低速モードにて各部を制御する。温度センサー１３は、低速モード処理部８１の温度を検知する。低速モード処理部８１は、予め、外部の高精度クロックにより、内蔵クロックの誤差を測定し、記憶部９に記憶しておく。この上で、低速モード処理部８１は、起動時に、温度センサー１３により検知された温度と、記憶部９に記憶された内蔵クロックの誤差とを基に、内蔵クロックを補正する。【選択図】図３
2014197065.tif 000002
【特許請求の範囲】
【請求項１】
用紙に画像を形成する画像形成手段を備える画像形成装置において、
高精度クロックを生成させる高精度クロック生成手段と、
前記高精度クロック生成手段の前記高精度クロックを受信して、前記画像形成手段を含む各部を制御する高速モード制御手段と、
前記高精度クロックよりも低速な内蔵クロックを生成する内蔵クロック生成手段を有する低速モード制御手段と、
前記内蔵クロックの誤差値を記憶する誤差記憶手段と、
前記低速モード制御手段の温度を検知する温度検知手段と、
前記温度検知手段により検知された温度と、前記誤差記憶手段に記憶された前記内蔵クロックの誤差値とを基に、前記内蔵クロックの誤差を補正する内蔵クロック補正手段とを備え、
前記低速モード制御手段は、前記内蔵クロック補正手段により補正された前記内蔵クロックを用いて各部を制御する
ことを特徴とする画像形成装置。
【請求項２】
前記高精度クロックにより、前記内蔵クロックの誤差を測定する内蔵クロック誤差測定手段と、
前記低速モード制御手段の温度を変化させて、前記内蔵クロック誤差測定手段により前記内蔵クロックの誤差を測定し、温度毎の偏差を補正する補正値テーブルを作成して、前記誤差記憶手段に記憶するキャリブレーション手段を備え、
前記内蔵クロック補正手段は、前記キャリブレーション手段により作成された前記補正値テーブルにより、前記低速モード制御手段の内蔵クロックを補正する
ことを特徴とする請求項１に記載の画像形成装置。
【請求項３】
高精度クロックを生成させる高精度クロック生成手段と、
前記高精度クロック生成手段の前記高精度クロックを受信して、各部を制御する高速モード制御手段と、
前記高精度クロックよりも低速な内蔵クロックを生成する内蔵クロック生成手段を有する低速モード制御手段と、
前記内蔵クロックの誤差値を記憶する誤差記憶手段と、
前記低速モード制御手段の温度を検知する温度検知手段と、
前記温度検知手段により検知された温度と、前記誤差記憶手段に記憶された前記内蔵クロックの誤差値とを基に、前記内蔵クロックの誤差を補正する内蔵クロック補正手段とを備え、
前記低速モード制御手段は、前記内蔵クロック補正手段により補正された前記内蔵クロックを用いて各部を制御する
ことを特徴とする時間計測装置。
【発明の詳細な説明】
【技術分野】
【０００１】
本発明は、画像形成装置及び時間計測装置に係り、特に高速モードと低速モードの制御を行う画像形成装置及び時間計測装置に関する。
【背景技術】
【０００２】
従来から、複写機や複合機（Multifunctional Peripheral, MFP）等の画像形成装置では、ＣＰＵ等の制御手段に、クロック周波数が異なった動作モードである「高速モード」と「低速モード」とを使い分けて処理を行わせることがある。
「高速モード」は、通常の動作時に、通常又は高いクロック周波数で、電力消費の大きい各部が制御される動作モードである。「低速モード」は、スタンバイ時等に、高速モードより低いクロック周波数で、低消費電力で駆動される各部が制御される動作モードである。
特許文献１を参照すると、このように異なった動作モードを使用する画像形成装置が記載されている。
【先行技術文献】
【特許文献】
【０００３】
【特許文献１】特開２００９−２６５３７４号公報
【発明の概要】
【発明が解決しようとする課題】
【０００４】
特許文献１のような従来の画像形成装置では、高速モードと低速モードとでは、それぞれ専用の水晶振動子等の高精度クロック生成手段が用いられることが多い。
しかしながら、高精度クロック生成手段は高価であり、低速モード用では、オンチップオシレータによる内蔵クロックを活用したいという要求があった。
これに対して、内蔵クロックは数十％の大きな周期の誤差があり、精度が低いため、そのままでは使用できなかった。
【０００５】
本発明は、このような状況に鑑みてなされたものであり、内蔵クロックで低速モード動作可能な画像形成装置を提供することを課題とする。
【課題を解決するための手段】
【０００６】
本発明の画像形成装置は、用紙に画像を形成する画像形成手段を備える画像形成装置において、高精度クロックを生成させる高精度クロック生成手段と、前記高精度クロック生成手段の前記高精度クロックを受信して、前記画像形成手段を含む各部を制御する高速モード制御手段と、前記高精度クロックよりも低速な内蔵クロックを生成する内蔵クロック生成手段を有する低速モード制御手段と、前記内蔵クロックの誤差値を記憶する誤差記憶手段と、前記低速モード制御手段の温度を検知する温度検知手段と、前記温度検知手段により検知された温度と、前記誤差記憶手段に記憶された前記内蔵クロックの誤差値とを基に、前記内蔵クロックの誤差を補正する内蔵クロック補正手段とを備え、前記低速モード制御手段は、前記内蔵クロック補正手段により補正された前記内蔵クロックを用いて各部を制御することを特徴とする。
本発明の画像形成装置は、前記高精度クロックにより、前記内蔵クロックの誤差を測定する内蔵クロック誤差測定手段と、前記低速モード制御手段の温度を変化させて、前記内蔵クロック誤差測定手段により前記内蔵クロックの誤差を測定し、温度毎の偏差を補正する補正値テーブルを作成して、前記誤差記憶手段に記憶するキャリブレーション手段を備え、前記内蔵クロック補正手段は、前記キャリブレーション手段により作成された前記補正値テーブルにより、前記低速モード制御手段の内蔵クロックを補正することを特徴とする。
本発明の時間計測装置は、高精度クロックを生成させる高精度クロック生成手段と、前記高精度クロック生成手段の前記高精度クロックを受信して、各部を制御する高速モード制御手段と、前記高精度クロックよりも低速な内蔵クロックを生成する内蔵クロック生成手段を有する低速モード制御手段と、前記内蔵クロックの誤差値を記憶する誤差記憶手段と、前記低速モード制御手段の温度を検知する温度検知手段と、前記温度検知手段により検知された温度と、前記誤差記憶手段に記憶された前記内蔵クロックの誤差値とを基に、前記内蔵クロックの誤差を補正する内蔵クロック補正手段とを備え、前記低速モード制御手段は、前記内蔵クロック補正手段により補正された前記内蔵クロックを用いて各部を制御することを特徴とする。
【発明の効果】
【０００７】
本発明によれば、温度検知手段により検知された温度と、予め誤差記憶手段に記憶された内蔵クロックの固有の誤差値とを基に、低速モード制御手段の内蔵クロックを補正することで、低速モード時に内蔵クロックで動作可能な画像形成装置を提供できる。
【図面の簡単な説明】
【０００８】
【図１】本発明に係る画像形成装置の第１の実施の形態の内部構成を示す概略模式断面図である。
【図２】本発明に係る画像形成装置の第１の実施の形態の制御構成を示すブロック図である。
【図３】本発明に係る画像形成装置の第１の実施の形態における内蔵クロック補正及び低速モード実行処理のフローチャートである。
【図４】図２に示す補正値テーブルの概念図である。
【図５】本発明に係る画像形成装置の第２の実施の形態に係るキャリブレーション処理のフローチャートである。
【発明を実施するための形態】
【０００９】
＜第１の実施の形態＞
〔画像形成装置１の構成〕
まず、図１〜図２を参照して、第１の実施の形態に係る画像形成装置１（時間計測装置）の構成について説明する。
本実施の形態の画像形成装置１は、原稿読取部２と、原稿給送部３と、本体部４と、スタックトレイ５と、操作パネル部６とを備えている。
原稿読取部２は、本体部４の上部に配設され、原稿給送部３は、原稿読取部２の上部に配設されている。スタックトレイ５は、本体部４の形成された記録紙の排出口４１側に配設され、また、操作パネル部６は、画像形成装置１のフロント側に配設されている。
【００１０】
原稿読取部２は、スキャナー２１と、プラテンガラス２２と、原稿読取スリット２３とを備える。スキャナー２１は、露光ランプ、及びＣＣＤ(Charge Coupled Device)やＣＭＯＳ（Complementary Metal Oxide Semiconductor）撮像センサー等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１１】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得して、取得した画像データを本体部４に出力する。
また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１２】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１３】
本体部４は、画像形成部７を備えると共に、給紙部４２と、用紙搬送路４３と、搬送ローラー４４と、排出ローラー４５とを備えている。給紙部４２は、それぞれサイズ又は向きが異なる記録紙を収納する複数の給紙カセット４２１と、給紙カセット４２１から記録紙を１枚ずつ用紙搬送路４３に繰り出す給紙ローラー４２２とを備えている。
給紙ローラー４２２、搬送ローラー４４、及び排出ローラー４５は、搬送部として機能する。記録紙は、この搬送部により搬送される。給紙ローラー４２２によって用紙搬送路４３に繰り出された記録紙は、搬送ローラー４４によって画像形成部７に搬送される。
そして、画像形成部７によって記録が施された記録紙は、排出ローラー４５によってスタックトレイ５に排出される。
【００１４】
操作パネル部６は、液晶や有機ＥＬディスプレイ等の表示部とテンキーを含むボタン等を備えている。
操作パネル部６は、ユーザーからの指示を検知して、制御部８に送信する。操作パネル部６は、高速モードと低速モードの制御の設定等についても取得することができる。
【００１５】
画像形成部７は、感光体ドラム７１と、露光部７２と、現像部７３と、転写部７４と、定着部７５とを備えている。露光部７２は、レーザ装置やＬＥＤアレイやミラーやレンズ等を備えた光学ユニットであり、画像データに基づいて光等を出力して感光体ドラム７１を露光し、感光体ドラム７１の表面に静電潜像を形成する。
現像部７３は、トナーを用いて感光体ドラム７１に形成された静電潜像を現像する現像ユニットであり、静電潜像に基づいたトナー像を感光体ドラム７１上に形成させる。転写部７４は、現像部７３によって感光体ドラム７１上に形成されたトナー像を用紙に転写させる。定着部７５は、転写部７４によってトナー像が転写された用紙を加熱してトナー像を用紙に定着させることで記録を行う。
【００１６】
図２には、画像形成装置１の概略構成を示すブロック図が示されている。
上述の原稿読取部２、原稿給送部３、搬送部（給紙ローラー４２２、搬送ローラー４４、排出ローラー４５）、操作パネル部６、及び画像形成部７は、制御部８（高速モード制御手段、低速モード制御手段）に接続されており、制御部８によって動作制御される。
さらに、制御部８には、記憶部９（記憶手段、誤差記憶手段）、画像処理部１０（画像処理手段）、ＦＡＸ送受信部１１、ネットワーク送受信部１２、温度センサー１３（温度検知手段）、及び高速クロック部１４（外部クロック、高精度クロック生成手段）が接続されている。
【００１７】
制御部８は、ＲＯＭ（Read Only Memory）、ＲＡＭ（Random Access Memory）等を備えた汎用ＣＰＵ、マイクロコンピュータ、マイクロコントローラ（マイコン）等の情報処理手段である。制御部８のＲＯＭには画像形成装置１の動作制御を行うための制御プログラムが記憶されている。
制御部８及び画像処理部１０は、ＲＯＭに記憶されている制御プログラムを読み出し、制御プログラムをＲＡＭに展開させることで、操作パネル部６から入力された所定の指示情報に応じて装置全体の制御を行う。
【００１８】
制御部８は、通常の動作状態では、高速のクロック周波数にて各処理を実行する「高速モード」での制御を行う。制御部８は、「高速モード」では、高速クロック部１４の高精度クロックに同期して画像形成部７を含む電力消費の大きい各部の実行を行う。
また、制御部８は、低速の内蔵クロックにて各処理を実行する「低速モード」での制御を行うことも可能である。この「低速モード」は、例えば、スタンバイ時等の低消費電力状態で、ファクシミリやスキャナーの受信、ネットワーク送受信部１２でのパケットの送受信等、消費電力の少ない各処理を実行する。この「低速モード」での処理は、主に、下記で説明する低速モード処理部８１が行う。
【００１９】
低速モード処理部８１（低速モード制御手段、内蔵クロック誤差測定手段、内蔵クロック補正手段、キャリブレーション手段）は、消費電力の少ない「低速モード」での処理を主に実行する。
低速モード処理部８１は、内蔵されたオンチップオシレータ等の内蔵クロック生成手段により、高速クロック部１４よりも周波数が低い内蔵クロック、例えばＫＨｚ、ＭＨｚ単位のクロックを自ら生成して動作する。この内蔵クロック生成手段により生成される内蔵クロックは、高精度クロックより精度が低く、基板毎の誤差があり、電圧や温度等で変動する。
低速モード処理部８１は、「低速モード」では「高速モード」より低い所定動作周波数で動作するため、厳密な動作クロックの精度は求められない。しかしながら、低速モード処理部８１は、Ｉ／Ｏの制御やネットワーク送受信部１２によるネットワーク送受信等の同期を必要とする処理を行うため、所定値以内でのクロックの精度となるよう、クロックの周期の誤差の補正を行う必要がある。
【００２０】
記憶部９は、半導体メモリやＨＤＤ（Hard Disk Drive）等の記憶手段である。記憶部９は、各種プログラムやデータを記憶している。このうち、記憶部９の半導体メモリは、ＲＡＭ、ＥＥＰＲＯＭ、ＮＡＮＤ型やＮＯＲ型フラッシュメモリ等の不揮発性メモリを含んでいる。
また、記憶部９は、各種ジョブ実行用のジョブデータを記憶する。ジョブデータは、原稿読取部２によって原稿を読み取ることで取得された画像データ、図示しないＰＣ（Personal Computer）から送信された印刷文書のデータ、ＦＡＸ受信データ等の各種ファイル等である。
【００２１】
画像処理部１０は、ＤＳＰ（Digital Signal Processor）やＧＰＵ（Graphics Processing Unit）の制御演算部位である。画像処理部１０は、画像データに対して所定の画像処理を行う手段であり、例えば、拡大縮小処理や、濃度調整、階調調整等の画像改善処理を行う。
【００２２】
ＦＡＸ送受信部１１は、ファクシミリの送受信を行う手段であり、通常の電話回線やＩＳＤＮ回線等と接続されている。また、ＦＡＸ送受信部１１は、受信したファクシミリ画像を、記憶部９に記憶する。
また、ＦＡＸ送受信部１１は、記憶部９に記憶された画像データを、画像形成部７で印刷する代わりにファクシミリ送信することもできる。
【００２３】
ネットワーク送受信部１２は、ネットワークに接続するためのＬＡＮボードや無線送受信機やテレフォン・ダイアラーやカプラ等を含むネットワーク接続手段である。
ネットワーク送受信部１２は、データ通信用の回線ではデータを送受信し、音声電話回線では音声信号を送受信する。
【００２４】
温度センサー１３は、サーミスタや赤外線センサーとＡ／Ｄコンバータ等を備えた温度センサーである。
温度センサー１３は、制御部８のパッケージ内又はすぐ外側に設けられて、低速モードの際に低速モード処理部８１近辺の温度を測定する。このように構成することにより、低速モード処理部８１の温度をより直接的に測定できるため好ましい。
また、温度センサー１３は、画像形成装置１の他の箇所に設けられていてもよい。たとえば、温度センサー１３は、画像形成装置１の筐体内又は筐体外の温度を測定することも可能である。この場合、温度センサー１３は、主に画像形成部７等の高温が発生する箇所以外の基板等に配置され、画像形成装置１内部の平均的な温度である、筐体内のいわゆる雰囲気温度、又は筐体外の外部環境温度を測定する。
【００２５】
高速クロック部１４は、例えば水晶振動子等による精度がよい（周期の誤差が小さい）高精度クロック生成回路である。高速クロック部１４は、制御部８に、正確な高精度クロック（動作クロック）を供給する。
高速クロック部１４の高精度クロックは、低速モード処理部８１のクロックの誤差を修正する際の基準となる。
【００２６】
なお、低速モード処理部８１は、制御部８とは別のＣＰＵであってもよく、マルチコアＣＰＵの低消費電力コア等を用いてもよい。
また、低速モード処理部８１は、温度センサー１３を内蔵していてもよい。
また、制御部８と記憶部９と画像処理部１０とは、メモリ内蔵ＣＰＵやＧＰＵ内蔵ＣＰＵやチップ・オン・モジュールのパッケージ等のように、一体的に形成されてもよい。
【００２７】
（記憶部９の構成）
記憶部９の不揮発性メモリは、内蔵クロックの誤差を修正するためのデータである基板誤差９１及び補正値テーブル９２を記憶している。
基板誤差９１は、低速モード処理部８１の基板毎の固有の内蔵クロックの誤差値を示すデータである。基板誤差９１は、工場出荷時等にあらかじめ低速モード処理部８１により算出され、記憶部９に記憶されてもよい。
補正値テーブル９２は、温度毎の偏差を補正するテーブルのデータである。補正値テーブル９２は、低速モード処理部８１の温度と内蔵クロックの誤差との関係を示している誤差値を複数含んでいてもよい。
なお、記憶部９は、高速モードと低速モードとを切り換えるための設定、電圧による低速モード処理部８１の動作クロックの補正用のテーブル等についても記憶してもよい。
【００２８】
〔画像形成装置１による内蔵クロック補正及び低速モード実行処理〕
次に、図３を参照して、本発明の第１の実施の形態に係る低速モード処理部８１の内蔵クロック補正及び低速モード実行処理についてステップ毎に詳しく説明する。
低速モード処理部８１の内蔵クロック補正及び低速モード実行処理は、主に記憶部９に記憶された各種設定を基に、低速モード処理部８１のＲＯＭに記憶されたプログラムを、低速モード処理部８１がハードウェア資源を用いて実行することで実現できる。
【００２９】
（ステップＳ１０１）
低速モードへの変更が指示された場合、まず、低速モード処理部８１は、起動及び補正開始処理を行う。
画像形成装置１が省電力状態に遷移する等の場合、制御部８により、低速モードへの変更が指示される。
すると、リセット信号が入力され、内蔵クロックにて低速モード処理部８１が起動される。
この際に、低速モード処理部８１は、ＲＯＭに記憶されたプログラムを実行して、各種初期化処理を行い、クロックの補正を開始する。
【００３０】
（ステップＳ１０２）
初期化の終了後に、低速モード処理部８１は、温度取得処理を行う。
低速モード処理部８１は、温度センサー１３にて温度を検知する。この温度は、検知した時点での低速モード処理部８１自体の温度に対応している。
【００３１】
（ステップＳ１０３）
次に、低速モード処理部８１は、補正値取得処理を行う。
図４を参照すると、補正値テーブル９２は、例えば、内蔵クロックの標準クロックＳとの差分値を示す誤差値が、曲線Ｄのように格納されている。つまり、曲線Ｄは、例えば、低速モード処理部８１の許容動作温度範囲に対応する所定区間の温度に対応する誤差値の集合となる。
低速モード処理部８１は、記憶部９の補正値テーブル９２から、温度センサー１３にて検出した温度に対応した内蔵クロックの誤差値を読みだす。
加えて、低速モード処理部８１は、基板誤差９１から、基板毎の誤差値を読みだす。
【００３２】
（ステップＳ１０４）
次に、低速モード処理部８１は、クロック補正処理を行う。
低速モード処理部８１は、読み出された誤差値に基づいて、内蔵クロックの周波数を変更するクロック補正を行う。
低速モード処理部８１は、温度センサー１３から取得した温度に対応する補正値テーブル９２の誤差値と、基板誤差９１の基板毎の誤差値とを基に、内蔵クロックの周波数の補正値を算出する。
たとえば、温度に対応する補正値テーブル９２の誤差値が＋３％であり、基板誤差９１の基板毎の誤差値が＋１％であった場合、
補正値  ＝  （＋３％）＋（＋１％）  ＝  ＋４％
と算出する。そして、低速モード処理部８１は、内蔵クロックの周波数を、この補正値を基に変更する。この例の場合は、内蔵クロックの周波数を、標準値から４％変更する。低速モード処理部８１は、例えば、内蔵クロックの基準値の＋−１０％程度の周波数の変更が可能である。
これにより、低速モード処理部８１の内蔵クロックの補正を終了する。補正により、低速モード処理部８１の内蔵クロックの精度を保ちつつ、ネットワーク送受信やファクシミリ送受信等、タミングやカウントの際の精度が重要な手段による処理を行うことが可能となる。
【００３３】
（ステップＳ１０５）
その後、低速モード処理部８１は、低速モードでの各処理である低速モード実行処理を行う。
低速モードにおける各処理においては、例えば、高速クロック部１４、画像形成部７を含む消費電力の大きい各部の電源供給はされないか、低消費電力状態となる。この上で、低速モード処理部８１は、ＦＡＸ送受信部１１、ネットワーク送受信部１２等の受信処理や送信処理等を行い、記憶部９に受信データを記憶する。
以上により、低速モード処理部８１の内蔵クロック補正及び低速モード実行処理を終了する。
なお、低速モード処理部８１は、温度センサー１３により検知した温度が変化していた場合、再度、内蔵クロックを補正してもよい。この内蔵クロックの補正は、リアルタイム（実時間）で行ってもよい。
【００３４】
以上のように構成することで、以下のような効果を得ることができる。
本発明の第１の実施の形態に係る画像形成装置１は、記録紙に画像を形成する画像形成部７を備える画像形成装置において、周期の誤差が小さい高精度クロックを生成させる高速クロック部１４と、高速クロック部１４に生成させた高精度クロックを受信して、電力消費の大きい高速モードで画像形成部７を含む各部を制御する制御部８と、高速クロック部１４よりも周期の誤差が大きく低速な内蔵クロックにより、省電力の低速モードにて各部を制御する低速モード処理部８１と、低速モード処理部８１の温度を検知する温度センサー１３とを備え、温度センサー１３により検知された温度と、記憶部９に記憶された基板誤差９１の誤差値とを基に、低速モード処理部８１の内蔵クロックを補正することを特徴とする。
これにより、基板上の誤差と温度センサー１３により精度の低い低速モード処理部８１の内蔵クロックを補正することで、クロック補正を行いＣＰＵ内蔵クロックにより時間基準をとることが可能になる。よって、低速モード処理部８１用の水晶振動子を別途必要としなくなり、従来より安価な画像形成装置１を提供することが可能になる。
【００３５】
また、従来、低速モード用制御部の精度の低い内蔵クロックを補正する手段として、高速モード用の水晶振動子で補正する方法が一般的に用いられている。
しかしながら、低速モード用の制御部を起動する際に、毎回、高速クロックを用いて内蔵クロックを調整するのは時間がかかり、低消費電力に遷移するまで消費電力が増えるため、現実的ではなかった。
また、精度がよい高速クロックを用いて補正する手法は、温度変動の影響を受ける。このため、単純に基板誤差の誤差値を記憶し読みだしても、低消費電力の低速モード切り換え時には使用できなかった。
これに対して、本実施の形態の画像形成装置１は、基板毎の固有の内蔵クロックの誤差値を、基板誤差９１として記憶部９の不揮発性メモリに記憶し、起動時にこれを読みだして温度変動の影響も併せて調整する。これにより、再度クロック補正を行うという煩雑さを回避することが可能となり、低速モードで内蔵クロックを使用することが可能となる。また、低速モードへすばやく移行でき、消費電力を抑えられるという効果も得られる。
【００３６】
なお、低速モード処理部８１は、例えば、画像形成装置１内部の雰囲気温度や外部環境温度によってクロック誤差値の補正を行うことも可能である。この場合には、低速モード処理部８１は、温度センサー１３にて温度を検知する。この上で、低速モード処理部８１は、雰囲気温度や外部環境温度も含めて、内蔵クロックの周波数の補正値を算出してもよい。
また、低速モード処理部８１は、例えば、電圧によりクロック誤差値の補正を行うことも可能である。この場合には、低速モード処理部８１は、電源電圧を検知し、検知された電源電圧を基にした誤差値を記憶部９から読みだし、基板誤差９１、補正値テーブル９２を基に内蔵クロックの周波数の補正値を算出してもよい。
【００３７】
＜第２の実施の形態＞
次に、図５を参照して、本発明の第２の実施の形態について説明する。
本発明の第２の実施の形態においては、第１の実施の形態に係る画像形成装置１（図２）と同様の構成のハードウェアを用いて、低速モード処理部８１が、基板誤差９１と所定の温度区間の補正値テーブル９２を作成するキャリブレーション処理を行う。
低速モード処理部８１は、初めて電源が投入された初期設定の場合、数ヶ月〜１年に一度程度の所定期間が経過した場合、又はユーザーにより指示された場合等に、このキャリブレーション処理を行う。
以下で、図５のフローチャートを参照して、このキャリブレーション処理の詳細を説明する。
【００３８】
（ステップＳ１１１）
まず、低速モード処理部８１は、第１の実施の形態のステップＳ１０２の温度取得処理（図３）と同様に、温度センサー１３にて低速モード処理部８１の温度を検知する。
【００３９】
（ステップＳ１１２）
次に、低速モード処理部８１は、補正値算出処理を行う。
図４を再び参照して説明すると、低速モード処理部８１は、その温度での内蔵クロックの周波数を、高速クロック部１４を起動させて測定する。
そして、低速モード処理部８１は、測定されたクロックと、標準クロックＳとの差分値を算出する。この際に、低速モード処理部８１は、温度センサー１３で取得した温度を用いて、その温度での差分値を算出する。そして、低速モード処理部８１は、算出したその温度での差分値から、工場出荷時に測定された基板毎の固有の誤差値である基板誤差９１を更に減算する。低速モード処理部８１は、その温度での差分値から基板誤差９１を減算した値を、補正値テーブル９２の検知した温度に対応する箇所に書き込む。
【００４０】
（ステップＳ１１３）
次に、低速モード処理部８１は、温度上昇処理を行う。
低速モード処理部８１は、ＲＯＭに記憶された所定のベンチマークプログラム等の処理負荷をかけるプログラムを実行して、低速モード処理部８１自体の温度を上昇させる。
なお、低速モード処理部８１用のヒータ、又は画像形成装置１の各部のヒータ等を別途備えてもよい。そして、このヒータ等の発熱により、低速モード処理部８１の温度を上昇させてもよい。
【００４１】
（ステップＳ１１４）
まず、低速モード処理部８１は、所定区間の補正値を算出したか否かを判定する。低速モード処理部８１は、補正値テーブル９２として十分な所定の温度区間の差分値を算出し終えた場合、Ｙｅｓと判定する。低速モード処理部８１は、まだ所定の温度区間の差分値を算出していない場合、Ｎｏと判定する。
Ｙｅｓの場合、低速モード処理部８１は、キャリブレーション処理を終了する。
Ｎｏの場合、低速モード処理部８１は処理をステップＳ１１１に戻し、上昇した温度での温度取得と補正値算出を行う。
【００４２】
以上のように、低速モード処理部８１は、温度を上昇させつつ、温度センサー１３で検知した温度と、高速クロック部１４のクロックとの差分値を算出し、工場出荷時に測定された内蔵クロックの基板誤差９１を更に差分し、補正値テーブル９２に書き込んでゆく。これにより、図４の曲線Ｄのように、温度と誤差値の関係性を示す補正値テーブル９２が作成される。
キャリブレーション後、制御部８は、低速モード処理部８１を休止状態に移行させ、十分冷却させる。
低速モード処理部８１は、低速モードへの遷移時に、第１の実施の形態と同様に、基板誤差９１と、キャリブレーションされた補正値テーブル９２とを用いて、内蔵クロックの補正を行うことが可能である。
【００４３】
以上のように構成することで、以下のような効果を得ることができる。
本発明の第２の実施の形態において、低速モード処理部８１は、高速クロック部１４の高精度クロックにより、低速モード処理部８１の内蔵クロックの誤差を測定し、低速モード処理部８１の温度を変化させて、内蔵クロックの誤差を測定し、温度毎の偏差を補正する補正値テーブル９２を作成して、記憶部９に記憶させ、又、低速モード処理部８１は、作成された補正値テーブル９２により、低速モード処理部８１の内蔵クロックを補正することを特徴とする。
これにより、低速モード移行時に、基板毎の誤差と温度変動の影響を記録した補正値テーブル９２を読みだして、低速モード処理部８１の内蔵クロックを素早く補正することが可能となる。加えて、温度による内蔵クロックの誤差を正確に算出することで、低速モード処理部８１のクロックを正確に調整することが可能となる。
【００４４】
また、本発明の第１又は第２の実施の形態に係る時間計測装置は、周期の誤差が小さい高精度クロックを生成させる高速クロック部１４と、高速クロック部１４に生成させた高精度クロックを受信して、電力消費の大きい高速モードで各部を制御する制御部８と、高速クロック部１４よりも周期の誤差が大きく低速な内蔵クロックにより、省電力の低速モードにて各部を制御する低速モード処理部８１と、低速モード処理部８１の温度を検知する温度センサー１３とを備え、低速モード処理部８１は、高速クロック部１４の高精度クロックにより、低速モード処理部８１の内蔵クロックの誤差を測定し、低速モード処理部８１により測定された内蔵クロックの誤差を記憶部９に記憶し、温度センサー１３により検知された温度と、記憶部９に記憶された内蔵クロックの誤差とを基に、低速モード処理部８１の内蔵クロックを補正することを特徴とする。
【００４５】
なお、本発明の第２の実施の形態において、低速モード処理部８１は、温度と誤差値をいちいち求めず、所定温度の誤差値を数点算出して補完曲線等を作成し、補正値テーブル９２に書き込んでもよい。
また、低速モード処理部８１は、基板誤差と温度によるクロックの誤差を合算した値を補正値テーブル９２に書き込んで、これにより低速モード処理部８１の内蔵クロックの補正を行ってもよい。つまり、キャリブレーション中に、工場出荷時に算出された基板誤差９１を減算しない構成であってもよい。この場合、基板誤差９１は、記憶部９に記憶されていなくてもよい。
また、低速モード処理部８１は、低速モード処理部８１の温度とクロックの関係の誤差値の標準値を工場出荷時に補正値テーブル９２に記憶しておいてもよい。低速モード処理部８１は、キャリブレーションの際、測定されたクロックから、温度センサー１３で得られた温度における誤差値の標準値を減算することで、基板毎の固有の誤差値を算出して基板誤差９１として記憶部９に記憶することも可能である。なお、低速モード処理部８１はこの基板毎の固有の誤差値を、各温度で算出して平均化してもよい。
【００４６】
また、低速モード処理部８１は、画像形成装置１内部の雰囲気温度や外部環境温度の値を用いて、キャリブレーションを行ってもよい。この際、低速モード処理部８１は、低速モード処理部８１自体の処理による発熱ではなく、画像形成装置１の各部を可動させて雰囲気温度を変化させ、その変化によりキャリブレーションをしてもよい。また、低速モード処理部８１は、外部環境温度の変化によりキャリブレーションをしてもよい。また、低速モード処理部８１は、湿度等のセンサーを用いてキャリブレーションをしてもよい。
さらに、低速モード処理部８１は、温度を上下させるペルチェ素子等を用いた温度調整手段を備えて、これにより温度を調整しつつキャリブレーションを行ってもよい。
また、低速モード処理部８１は、電源電圧と誤差値との関係についての誤差値を算出して、低速モード処理部８１に記憶してもよい。この際、低速モード処理部８１は、補正値テーブル９２と同様に、電源電圧と誤差値との関係を示すテーブルを作成してもよい。また、低速モード処理部８１は、電源電圧と誤差値と温度との関係を示すテーブルを作成してもよい。
【００４７】
なお、本発明の実施の形態に係る時間計測装置及び時間計測方法としては、画像形成装置に限られず、高速モードと低速モードを使い分ける各種の機器にも適用可能である。
また、上述の実施の形態では、高速モードと低速モード用に別々の制御部を用いるように説明したが、同じＣＰＵの高速モードと低速モードとの切り換えの際にも用いることが可能である。
【００４８】
なお、上記実施の形態の構成及び動作は例であって、本発明の趣旨を逸脱しない範囲で適宜変更して実行することができることは言うまでもない。
【符号の説明】
【００４９】
１  画像形成装置
２  原稿読取部
３  原稿給送部
４  本体部
５  スタックトレイ
６  操作パネル部
７  画像形成部
８  制御部
９  記憶部
１０  画像処理部
１１  ＦＡＸ送受信部
１２  ネットワーク送受信部
１３  温度センサー
１４  高速クロック部
２１  スキャナー
２２  プラテンガラス
２３  原稿読取スリット
３１  原稿載置部
３２  原稿排出部
３３  原稿搬送機構
４１  排出口
４２  給紙部
４３  用紙搬送路
４４  搬送ローラー
４５  排出ローラー
７１  感光体ドラム
７２  露光部
７３  現像部
７４  転写部
７５  定着部
８１  低速モード処理部
９１  基板誤差
９２  補正値テーブル
４２１  給紙カセット
４２２  給紙ローラー
【図１】
2014197065.tif 000003
【図２】
2014197065.tif 000004
【図３】
2014197065.tif 000005
【図４】
2014197065.tif 000006
【図５】
2014197065.tif 000007